(57)【要約】      （修正有）【課題】遮蔽物の無いフロアを複数のスパンに分けて、各スパン毎に空調機を設置して、室内温度を調整するときに、局所的な温度差を解消する。【解決手段】複数のスパン毎にネットワーク機能を有する空調機を設置し、ネットワークを介して各フロアの空調機間で情報の交換を行い、快適温度環境に調整する温度調整システムであって、前記各空調機は、空調テーブルと、体感温度検出手段と、前記体感温度検出手段で検出した体感温度を前記ネットワークを介して他の空調機に送信する手段と、前記他の空調機から受信した他の空調機の設定温度を、自己の空調機の設定温度情報と共に前記空調テーブルに保有する手段と、前記空調テーブルに基づき、予めフロア全体の共通最適温度として設定された最適温度と、他の空調機の設定温度および体感温度とを比較し、規定範囲を超えている場合は、当該空調機に対して、設定温度変更要求を発行する手段とを有する。【選択図】図４（ａ）
2008232520.tif 000002
【特許請求の範囲】
【請求項１】
遮蔽物の無い大規模フロアを複数のスパンに分けて、前記各スパン毎にネットワーク機能を有する空調機を設置し、ネットワークを介して前記各フロアの空調機間で情報の交換を行い、前記大規模フロア空間の空調を快適温度環境に調整するネットワーク共有による温度調整システムであって、
前記各空調機は、空調を制御するための空調テーブルと、
体感温度を検出する体感温度検出手段と、
前記体感温度検出手段で検出した体感温度を前記ネットワークを介して他の空調機に送信する手段と、
前記他の空調機から受信した他の空調機の設定温度を、自己の空調機の設定温度情報と共に前記空調テーブルに保有する手段と、
前記空調テーブルに基づき、予めフロア全体の共通最適温度として設定された最適温度と、他の空調機の設定温度および体感温度とを比較し、規定範囲を超えている場合は、当該空調機に対して、設定温度変更要求を発行する手段とを有することを特徴とするネットワーク共有による室内温度調整システム。
【発明の詳細な説明】
【技術分野】
【０００１】
本発明は、ネットワーク共有による室内温度調整システムに係り、特に、ネットワーク機能により、大規模（遮蔽物の無い）フロアの室内温度を調整する方法に関する。
【背景技術】
【０００２】
従来、大規模フロア（遮蔽物の無い）の温度調整を行う方法としては、一般に複数のスパンに分けて、前記各スパン毎に空調（冷暖房）機を設置する方法が知られている。
【発明の開示】
【発明が解決しようとする課題】
【０００３】
しかしながら、前述した方法によれば、スパン毎に任意に設定された温度調整しか行えないため、フロア全体で平均化された温度調整が行うことが出来ないという問題があった。
本発明は、前記従来技術の問題点を解決するためになされたものであり、本発明の目的は、遮蔽物の無いフロアを複数のスパンに分けて、各スパン毎に空調機を設置して、フロアの室内温度を調整するときに、局所的な温度差を解消し、フロア全体で平均化された温度に調整することが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、遮蔽物の無い大規模フロアを複数のスパンに分けて、前記各スパン毎にネットワーク機能を有する空調機を設置し、ネットワークを介して前記各フロアの空調機間で情報の交換を行い、前記大規模フロア空間の空調を快適温度環境に調整するネットワーク共有による温度調整システムであって、前記各空調機は、空調を制御するための空調テーブルと、体感温度を検出する体感温度検出手段と、前記体感温度検出手段で検出した体感温度を前記ネットワークを介して他の空調機に送信する手段と、前記他の空調機から受信した他の空調機の設定温度を、自己の空調機の設定温度情報と共に前記空調テーブルに保有する手段と、前記空調テーブルに基づき、予めフロア全体の共通最適温度として設定された最適温度と、他の空調機の設定温度および体感温度とを比較し、規定範囲を超えている場合は、当該空調機に対して、設定温度変更要求を発行する手段とを有することを特徴とする。
【発明の効果】
【０００５】
本願において開示される発明のうち代表的なものによって得られる効果を簡単に説明すれば、下記の通りである。
本発明によれば、大規模フロア（遮蔽物の無い）を複数のスパンに分けて、各スパン毎に空調機を設置して、フロアの室内温度を調整するときに、局所的な温度差を解消し、フロア全体で平均化された温度に調整することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
本発明の空調機は、共通最適／任意温度設定装置と、室内温度調整装置とで構成される。
図１は、本発明の実施例の共通最適／任意温度設定装置の構成図を示したもので、図中１００は共通最適／任意温度設定装置であり、共通最適／任意温度設定装置１００は、温度検知部１０１と、温度設定部１０２と、制御部１０３と、情報機器接続インタフェース１０４とで構成される。
図２は、本発明の実施例の室内温度調整装置の構成図を示したもので、図中２００は室内温度調整装置であり、室内温度調整装置２００は、温度検知部２０１と、空気調整部２０２と、制御部２０３と、情報機器接続インタフェース２０４で構成され、制御部２０３は、温度情報テーブル２０５を有する。
図５は、図２に示す温度情報テーブルの記録フォーマットを示す図である。
図中５０１はＩＰアドレス、５０２は共通最適温度情報、５０３は共通最適／任意温度設定装置１００の体感温度（部屋の温度）情報、５０４は室内温度調整装置２００の体感温度情報、５０５は任意温度設定情報、５０６は更新間隔、５０７は更新日時を示す。
図６は、本発明の実施例のネットワーク共有方式による温度調整処理を実現するためのシステム構成図を示したもので、図中の６０１は共通最適／任意温度設定装置１、６０２は共通最適／任意温度設定装置２、６０３は共通最適／任意温度設定装置３、６０４は室内温度調整装置１、６０５は室内温度調整装置２、６０６は室内温度調整装置３、６０７は本実施例の各空調機間の情報の受渡しを行うためのスイッチングＨＵＢを示す。
【０００７】
図３は、本発明の実施例の共通最適／任意温度設定装置の処理手順を示すフローチャートである。
本実施例の共通最適／任意温度設定装置（１００，６０１〜６０３）は、更新間隔を確認し（ステップ３０１）、更新タイミングが到来しているかどうか判定する（ステップ３０２）。ステップ３０２において、更新タイミングが到来していると判定した場合には、温度検知部１０１から共通最適／任意温度設定装置の体感温度情報を取得し（ステップ３０３）、温度情報テーブル更新データを作成する（ステップ３０４）。次に、情報機器接続インタフェース１０４から温度情報テーブル更新データを出力する（ステップ３０５）。
ステップ３０２において、更新タイミングが到来していないと判定した場合には、温度設定部１０２からの共通最適温度／任意温度設定情報の入力を受付け（ステップ３０６）、取得した情報が共通最適温度更新情報であるか、任意温度設定情報であるかを判定する（ステップ３０７）。
ステップ３０７において、ステップ３０６で取得した情報が任意温度設定情報であると判定した場合は、温度検知部１０１から共通最適／任意温度設定装置の体感温度情報を取得する（ステップ３０８）。
【０００８】
次に、温度情報テーブルの任意温度設定情報５０５を更新するための温度情報テーブル更新データを作成し（ステップ３０９）、情報機器接続インタフェース１０４から温度情報テーブル更新データを出力する（ステップ３１０）。
ステップ３０７において、ステップ３０６で取得した情報が任意温度設定情報でないと判定した場合には、共通最適温度変更情報であるか否かを判断する（ステップ３１１）。ステップ３１１において、ステップ３０６で取得した情報が共通最適温度変更情報と判断した場合には、パスワードの入力を受付け（ステップ３１２）、パスワード認証の確認を行う（ステップ３１３）。
次に、パスワード認証確認結果が正常であるか否かを判断し（ステップ３１４）、ステップ３１４での判断結果が正常である場合には、温度検知部１０１から共通最適／任意温度設定装置の体感温度情報を取得する（ステップ３１５）。
次に、温度情報テーブルの共通最適温度情報５０２を更新するための温度情報テーブル更新データを作成し（ステップ３１６）、情報機器接続インタフェース１０４から温度情報テーブル更新データを出力する（ステップ３１７）。
【０００９】
図４は、本発明の実施例の室内温度調整装置の処理手順を示すフローチャートである。
本実施例の室内温度調整装置（２００，６０４〜６０６）は、共通最適温度／任意温度設定装置から出力された共通最適温度更新データ、温度情報テーブル更新データおよび他のスパンの室内温度調整装置から出力された共通最適温度更新データ、温度情報テーブル更新データ、温度調整要求データを受信する（ステップ４０１）。
次に、ステップ４０１で受信したデータが温度更新データか否かを判断する（ステップ４０２）。ステップ４０２において、ステップ４０１で受信したデータが温度情報テーブル更新データと判定した場合には、他のスパンの室内温度調整装置から受信した情報か否か判定する（ステップ４１０）。
ステップ４１０において、ステップ４０１で受信したデータが他のスパンの室内温度調整装置から受信した温度情報テーブル更新データであると判定した場合は、ＩＰアドレスをキーとして温度情報テーブルの情報との突き合わせを行い、一致したレコードに対して、共通最適／任意温度設定装置の体感温度情報５０３、室内温度調整装置の体感温度情報５０４、任意温度設定情報５０５および更新間隔５０６の更新を行う（ステップ４１１）。受信した温度情報テーブル更新データのＩＰアドレスが、自己の温度情報テーブルに存在しない場合はレコード挿入を行う。
ステップ４１０において、ステップ４０１で受信したデータが他のスパンの室内温度調整装置から受信した情報ではないと判定した場合には、自己に紐付く共通最適／任意温度設定装置から送信された情報であるため、温度情報テーブル更新を行い（ステップ４１２）、情報機器接続インタフェース２０４から他のスパンの室内温度調整装置に向けて温度情報更新データを出力し（ステップ４１３）、ステップ４１４に進む。
【００１０】
ステップ４０２において、ステップ４０１で受信したデータが温度情報テーブル更新データでないと判定した場合には、温度調整要求データを受け付けているか否かを判断する（ステップ４０３）。ステップ４０３において、ステップ４０１で受信したデータが温度調整要求データであると判定した場合には、自己の温度情報テーブルの任意温度設定情報５０５を変更し（ステップ４０４）、ステップ４１４に進む。
ステップ４０３において、ステップ４０１で受信したデータが温度情報テーブル更新データでないと判定した場合には、共通最適温度更新データであるか否かを判断する（ステップ４０５）。
ステップ４０５において、ステップ４０１で受信したデータが共通最適温度更新データであると判定した場合には、他のスパンの室内温度調整装置から受信した情報かどうか判定する（ステップ４０６）。ステップ４０６において、他のスパンの室内温度調整装置から受信した共通最適温度更新データであると判定した場合には、温度情報テーブルの共通最適温度情報５０２を更新し（ステップ４０７）、ステップ４１４に進む。
ステップ４０６において、他のスパンの室内温度調整装置から受信した共通最適温度更新データでないと判定した場合には、自己に紐付く共通最適／任意温度設定装置から送信された情報であるため、温度情報テーブルの共通最適温度情報５０２を更新し（ステップ４０８）、情報機器接続インタフェース２０４から他のスパンの室内温度調整装置に向けて共通最適温度情報更新データを出力し（ステップ４０９）、ステップ４１４に進む。
【００１１】
次に、自己の室内温度調整装置の温度検知部２０１から体感温度情報を取得し（ステップ４１４）、温度情報更新テーブルの自己の室内温度調整装置の体感温度情報５０４を更新する（ステップ４１５）。
次に、温度情報テーブルから取得した最新の更新日時５０７と更新間隔５０６を元に現在時刻との照査を行い（ステップ４１６）、調整要求タイミングが到来しているかどうか判定する（ステップ４１７）。
ステップ４１７において、調整要求タイミングが到来していると判断した場合には、温度情報テーブルの検索を行い（ステップ４１８）、共通最適温度と、任意温度設定および体感温度との差分が規定範囲を超えている室内温度調整装置の検索を行う（ステップ４１９）。
ステップ４１９で検索した結果、温度調整要求対象となる室内温度調整装置が存在する場合、温度調整要求データを作成し（ステップ４２０）、情報機器接続インタフェース２０４から他のスパンの室内温度調整装置に向けて温度調整要求データを出力する（ステップ４２１）。
また、ステップ４１７において、調整要求タイミングが到来していないと判定した場合は、温度情報テーブルの更新データを作成し（ステップ４２２）、情報機器接続インタフェース２０４から他のスパンの室内温度調整装置に向けて温度情報テーブル更新データを出力する（ステップ４２３）。
【００１２】
なお、調整要求タイミングは、各室内温度調整装置毎に異なっているのが好ましいが、調整要求タイミングが、例えば、２つの室内温度調整装置で同じであっても、両方とも同じ判断となるので、フロア全体の温度調整にはあまり影響がない。
以上説明したように、本実施例によれば、大規模フロア（遮蔽物の無い）を複数のスパンに分けて、各スパン毎に空調機を設置する場合に、室内温度調整装置間で相互にネットワーク接続を行い、予めフロア全体の共通最適温度として設定された最適温度と、他の空調機の設定温度および体感温度の情報をネットワーク共有することによって、各スパン毎の温度比較を行い、規定範囲を超えている場合は、当該空調機に対して、設定温度変更要求をすることによって、局所的な温度差解消を行うことができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１３】
【図１】本発明の実施例の共通最適温度／任意温度設定装置の構成を示す図である。
【図２】本発明の実施例の室内温度調整装置の構成を示す図である。
【図３（ａ）】本発明の実施例の共通最適／任意温度設定装置の処理手順を示すフローチャートである。
【図３（ｂ）】本発明の実施例の共通最適／任意温度設定装置の処理手順を示すフローチャートである。
【図４（ａ）】本発明の実施例の室内温度調整装置の処理手順を示すフローチャートである。
【図４（ｂ）】本発明の実施例の室内温度調整装置の処理手順を示すフローチャートである。
【図４（ｃ）】本発明の実施例の室内温度調整装置の処理手順を示すフローチャートである。
【図５】図２に示す温度情報テーブルの記録フォーマットを示す図である。
【図６】本発明の実施例のネットワーク共有方式による温度調整処理を実現するためのシステム構成図である。
【符号の説明】
【００１４】
１００  共通最適温度／任意温度設定装置
１０１，２０１  温度検知部
１０２  温度設定部
１０３，２０３  制御部
１０４  情報機器接続インタフェース
２００  室内温度調整装置
２０２  空気調整部
２０４  情報機器接続インタフェース
２０５  温度情報テーブル
５０１  ＩＰアドレス
５０２  共通最適温度情報
５０３  共通最適温度／任意温度設定装置の体感温度情報
５０４  室内温度調整装置の体感温度情報
５０５  任意温度設定情報
５０６  更新間隔
５０７  更新日時
６０１  共通最適温度／任意温度設定装置１
６０２  共通最適温度／任意温度設定装置２
６０３  共通最適温度／任意温度設定装置３
６０４  室内温度調整装置１
６０５  室内温度調整装置２
６０６  室内温度調整装置３
６０７  スイッチングＨＵＢ
【図１】
2008232520.tif 000003
【図２】
2008232520.tif 000004
【図３（ａ）】
2008232520.tif 000005
【図３（ｂ）】
2008232520.tif 000006
【図４（ａ）】
2008232520.tif 000007
【図４（ｂ）】
2008232520.tif 000008
【図４（ｃ）】
2008232520.tif 000009
【図５】
2008232520.tif 000010
【図６】
2008232520.tif 000011